(57)【要約】【課題】  ユーザ毎にパーソナライズ化されたニュース番組を自動的に提供すること。【解決手段】  情報提供装置１０は、記事のテキスト情報を含む電子版記事を受け取る電子版記事ＡＰＩ２１と、受け取った電子版記事から、ユーザが関心を持っている用語の集合を含むユーザ関心情報に関連性のある電子版記事を選択し、選択された電子版記事の重要度を、ユーザ関心情報に基づいて決定する記事選択／推薦プログラム２３と、選択された電子版記事のテキスト情報を読み上げるための設定を、テキスト情報に対して行う原稿変換プログラム２４と、選択された電子版記事のテキスト情報を、重要度の順に、設定にしたがって音声として読み上げられた情報である音声合成情報を生成する音声合成プログラム２６とを備えている。【選択図】図２
2020201615.tif 000002
【特許請求の範囲】
【請求項１】
記事のテキスト情報を含む電子版記事を受け取る第１の手段と、
前記受け取った電子版記事から、ユーザが関心を持っている用語の集合を含むユーザ関心情報に関連性のある電子版記事を選択し、前記選択された電子版記事の重要度を、前記ユーザ関心情報に基づいて決定する第２の手段と、
前記選択された電子版記事のテキスト情報を読み上げるための設定を、前記テキスト情報に対して行う第３の手段と、
前記選択された電子版記事のテキスト情報を、前記重要度の順に、前記設定にしたがって音声として読み上げられた情報である音声合成情報を生成する第４の手段とを備えた、情報提供装置。
【請求項２】
前記ユーザ関心情報は、予め登録されているユーザ情報に基づいて決定される、請求項１に記載の情報提供装置。
【請求項３】
前記設定を、前記テキスト情報に対して行うことは、前記設定を、前記ユーザ関心情報に基づいて、前記テキスト情報に対して行うことを含む、請求項１または２に記載の情報提供装置。
【請求項４】
前記第３の手段は、前記選択された電子版記事毎に、前記テキスト情報に含まれている用語の中から、前記ユーザ関心情報に関連性のある用語を決定する、請求項１乃至３のうち何れか１項に記載の情報提供装置。
【請求項５】
前記設定は、前記ユーザ関心情報に含まれる用語と、前記ユーザ関心情報に関連性のある用語と、のうちの少なくとも何れかを強調して読み上げるための設定を含む、請求項４に記載の情報提供装置。
【請求項６】
前記強調して読み上げるための設定は、強調して読み上げるべき用語を読み上げる前に、いったん間を置いてから読み上げる設定を含む、請求項５に記載の情報提供装置。
【請求項７】
前記第２の手段は、前記選択された電子版記事のうち、前記ユーザ関心情報に含まれる用語と一致する用語が多く含まれているテキスト情報を含む電子版記事ほど前記重要度が高くなるように、前記重要度を決定する、請求項１乃至６のうち何れか１項に記載の情報提供装置。
【請求項８】
前記重要度を決定された電子版記事の見出しを、対応する電子版記事の重要度の順に表示するための画像情報を生成する第５の手段をさらに備えた、請求項７に記載の情報提供装置。
【請求項９】
前記音声合成情報にしたがって読み上げられる音声と連動した動画のための設定情報であるモーション設定情報を生成する第６の手段をさらに備えた、請求項１乃至７のうち何れか１項に記載の情報提供装置。
【請求項１０】
前記モーション設定情報は、前記動画で表示されるキャラクタの定義のための設定情報と、前記キャラクタの、音声と連動した動作のための設定情報とを含む、請求項９に記載の情報提供装置。
【請求項１１】
端末において、前記音声合成情報にしたがって音声が出力され、前記モーション設定情報にしたがって動画が出力されるように、前記音声合成情報および前記モーション設定情報を前記端末へ出力する第５の手段をさらに備えた、請求項９または１０に記載の情報提供装置。
【請求項１２】
端末において、前記音声合成情報にしたがって音声が出力されるように、前記音声合成情報を前記端末へ出力する第５の手段をさらに備えた、請求項１乃至７のうち何れか１項に記載の情報提供装置。
【請求項１３】
情報提供装置によって情報を提供する方法であって、
前記情報提供装置が、
記事のテキスト情報を含む電子版記事を受け取り、
前記受け取った電子版記事から、ユーザが関心を持っている用語の集合を含むユーザ関心情報に関連性のある電子版記事を選択し、前記選択された電子版記事の重要度を、前記ユーザ関心情報に基づいて決定し、
前記選択された電子版記事のテキスト情報を読み上げるための設定を、前記テキスト情報に対して行い、
前記選択された電子版記事のテキスト情報を、前記重要度の順に、前記設定にしたがって音声として読み上げられた情報である音声合成情報を生成する、情報提供方法。
【請求項１４】
記事のテキスト情報を含む電子版記事を受け取る機能、
前記受け取った電子版記事から、ユーザが関心を持っている用語の集合を含むユーザ関心情報に関連性のある電子版記事を選択し、前記選択された電子版記事の重要度を、前記ユーザ関心情報に基づいて決定する機能、
前記選択された電子版記事のテキスト情報を読み上げるための設定を、前記テキスト情報に対して行う機能、
前記選択された電子版記事のテキスト情報を、前記重要度の順に、前記設定にしたがって音声として読み上げられた情報である音声合成情報を生成する機能、
をプロセッサに実現させるためのプログラム。
【発明の詳細な説明】
【技術分野】
【０００１】
本発明は、例えば、ユーザ毎にパーソナライズ化されたニュース番組を提供することが可能な情報提供装置、情報提供方法、およびプログラムに関する。
【背景技術】
【０００２】
テレビやラジオのニュース番組は、単なる情報伝達手段としてのみならず、少なくとも音声によって最新の情報を提供できるという観点から、視聴者に与える利便性も高い。
【０００３】
しかしながら、テレビやラジオのニュース番組は、緊急時を除けば、通常は、決まった時間しか放送されないので、必ずしもリアルタイム性の高い情報を提供できるとはいえない。
【０００４】
一方、昨今では、インターネット上のニュースサイト等において電子版記事が配信されている。この種のニュースサイトでは、例えば５分毎に電子版記事が更新されるなど、テレビやラジオのニュース番組に比べて、リアルタイム性の高い情報を提供することができる。
【０００５】
テレビやラジオのニュース番組は、リアルタイム性に関しては、電子版記事には劣るものの、一連のニュースの詳細な内容が、ニュースキャスターやアナウンサーによって読み上げられるので、視聴者は、他の作業をしながらであっても、ただ聴いているだけで、一連のニュースの詳細な内容を把握することができるという利点がある。
【０００６】
これに対して、前述したニュースサイトでは、一連のニュースの見出しは表示されるが、対応するニュースの見出しをクリックしなければそのニュースの詳細な内容を把握することができない。したがって、複数のニュースの詳細な内容を把握するためには、ユーザは、記事の数だけクリック操作をしなければならないという手間を要する。しかも、通常、この種のニュースサイトでは、音声による情報提供はなされていない。このため、ユーザは、電子版記事によって提供される文字情報を読む必要があり、テレビやラジオのニュース番組のように、聴きながら、他の作業をするようなことができないという不便さを感じている。
【０００７】
ニュースのリアルタイム性を保ちつつ、ユーザの不便さを解消するための１つの手法として、ニュースサイトで提供される電子版記事を、連続的に音声出力させることが考えられる。
【先行技術文献】
【非特許文献】
【０００８】
【非特許文献１】https://www.afpbb.com/articles/-/3212941、新華社通信、（令和１年５月３１日検索）
【非特許文献２】https://www.hakuhodody-media.co.jp/newsrelease/service/20180223_21262.html、博報堂ら、（令和１年５月３１日検索）
【非特許文献３】https://ledge.ai/spectee-arakiyui/、高知さんさんテレビ、（令和１年５月３１日検索）
【発明の概要】
【発明が解決しようとする課題】
【０００９】
しかしながら、ニュースサイトでは、電子版記事が頻繁にアップされるので、すべての電子版記事を音声出力していては、音声出力が終了する前に、新たな内容に更新されてしまうことも生じ得るので、現実的ではない。
【００１０】
本発明は、このような事情を鑑みてなされたものであり、その目的は、頻繁に更新される電子版記事から、ユーザに関連性のある電子版記事を選択し、音声出力することによって、ユーザ毎にパーソナライズ化されたニュース番組を自動的に提供することが可能な情報提供装置、情報提供方法、およびプログラムを提供することにある。
【課題を解決するための手段】
【００１１】
上記の目的を達成するために、本発明では、以下のような手段を講じる。
【００１２】
本発明の第１の態様は、記事のテキスト情報を含む電子版記事を受け取る第１の手段と、前記受け取った電子版記事から、ユーザが関心を持っている用語の集合を含むユーザ関心情報に関連性のある電子版記事を選択し、前記選択された電子版記事の重要度を、前記ユーザ関心情報に基づいて決定する第２の手段と、前記選択された電子版記事のテキスト情報を読み上げるための設定を、前記テキスト情報に対して行う第３の手段と、前記選択された電子版記事のテキスト情報を、前記重要度の順に、前記設定にしたがって音声として読み上げられた情報である音声合成情報を生成する第４の手段とを備えた、情報提供装置である。
【００１３】
本発明の第２の態様は、前記ユーザ関心情報は、予め登録されているユーザ情報に基づいて決定される、第１の態様の情報提供装置である。
【００１４】
本発明の第３の態様は、前記設定を、前記テキスト情報に対して行うことは、前記設定を、前記ユーザ関心情報に基づいて、前記テキスト情報に対して行うことを含む、第１または第２の態様の情報提供装置である。
【００１５】
本発明の第４の態様は、前記第３の手段は、前記選択された電子版記事毎に、前記テキスト情報に含まれている用語の中から、前記ユーザ関心情報に関連性のある用語を決定する、第１乃至第３の態様のうち何れかの情報提供装置である。
【００１６】
本発明の第５の態様は、前記設定は、前記ユーザ関心情報に含まれる用語と、前記ユーザ関心情報に関連性のある用語と、のうちの少なくとも何れかを強調して読み上げるための設定を含む、第４の態様の情報提供装置である。
【００１７】
本発明の第６の態様は、前記強調して読み上げるための設定は、強調して読み上げるべき用語を読み上げる前に、いったん間を置いてから読み上げる設定を含む、第５の態様の情報提供装置である。
【００１８】
本発明の第７の態様は、前記第２の手段は、前記選択された電子版記事のうち、前記ユーザ関心情報に含まれる用語と一致する用語が多く含まれているテキスト情報を含む電子版記事ほど前記重要度が高くなるように、前記重要度を決定する、第１乃至第６の態様のうち何れかの情報提供装置である。
【００１９】
本発明の第８の態様は、前記重要度を決定された電子版記事の見出しを、対応する電子版記事の重要度の順に表示するための画像情報を生成する第５の手段をさらに備えた、第７の態様の情報提供装置である。
【００２０】
本発明の第９の態様は、前記音声合成情報にしたがって読み上げられる音声と連動した動画のための設定情報であるモーション設定情報を生成する第６の手段をさらに備えた、第１乃至第７の態様のうち何れかの情報提供装置である。
【００２１】
本発明の第１０の態様は、前記モーション設定情報は、前記動画で表示されるキャラクタの定義のための設定情報と、前記キャラクタの、音声と連動した動作のための設定情報とを含む、第９の態様の情報提供装置である。
【００２２】
本発明の第１１の態様は、端末において、前記音声合成情報にしたがって音声が出力され、前記モーション設定情報にしたがって動画が出力されるように、前記音声合成情報および前記モーション設定情報を前記端末へ出力する第５の手段をさらに備えた、第９または第１０の態様の情報提供装置である。
【００２３】
本発明の第１２の態様は、端末において、前記音声合成情報にしたがって音声が出力されるように、前記音声合成情報を前記端末へ出力する第５の手段をさらに備えた、第１乃至第７の態様のうち何れかの情報提供装置である。
【００２４】
本発明の第１３の態様は、情報提供装置によって情報を提供する方法であって、前記情報提供装置が、記事のテキスト情報を含む電子版記事を受け取り、前記受け取った電子版記事から、ユーザが関心を持っている用語の集合を含むユーザ関心情報に関連性のある電子版記事を選択し、前記選択された電子版記事の重要度を、前記ユーザ関心情報に基づいて決定し、前記選択された電子版記事のテキスト情報を読み上げるための設定を、前記テキスト情報に対して行い、前記選択された電子版記事のテキスト情報を、前記重要度の順に、前記設定にしたがって音声として読み上げられた情報である音声合成情報を生成する、情報提供方法である。
【００２５】
本発明の第１４の態様は、記事のテキスト情報を含む電子版記事を受け取る機能、前記受け取った電子版記事から、ユーザが関心を持っている用語の集合を含むユーザ関心情報に関連性のある電子版記事を選択し、前記選択された電子版記事の重要度を、前記ユーザ関心情報に基づいて決定する機能、前記選択された電子版記事のテキスト情報を読み上げるための設定を、前記テキスト情報に対して行う機能、前記選択された電子版記事のテキスト情報を、前記重要度の順に、前記設定にしたがって音声として読み上げられた情報である音声合成情報を生成する機能をプロセッサに実現させるためのプログラムである。
【発明の効果】
【００２６】
本発明の情報提供装置、情報提供方法、およびプログラムによれば、頻繁に更新される電子版記事から、ユーザに関連性のある電子版記事を選択し、音声出力することによって、ユーザ毎にパーソナライズ化されたニュース番組を自動的に提供することが可能となる。
【図面の簡単な説明】
【００２７】
【図１】図１は、本発明の実施形態に係る情報提供方法が適用された情報提供装置が配置されるネットワーク環境の一例を示すネットワーク構成図である。
【図２】図２は、本発明の実施形態に係る情報提供方法が適用された情報提供装置の電子回路構成例を示すブロック図である。
【図３】図３は、電子版記事のデータ構造の一例を示す概念図である。
【図４】図４は、情報提供装置へのユーザ登録時の動作例を示すフローチャートである。
【図５】図５は、ニュース番組の提供時の情報提供装置の動作例を示すフローチャートである。
【図６】図６は、重要度順にソートされた電子版記事の見出しと、モーション生成プログラムによって設定されたキャラクタとが表示されたユーザ端末のディスプレイにおける表示例を示す模式図である。
【発明を実施するための形態】
【００２８】
以下に、本発明の実施形態を、図面を参照して説明する。
【００２９】
図１は、本発明の実施形態に係る情報提供方法が適用された情報提供装置が配置されるネットワーク環境の一例を示すネットワーク構成図である。
【００３０】
情報提供装置１０は、例えば図１に示すように、例えばインターネットのような通信ネットワーク１００に接続されたサーバ８上に構築される。
【００３１】
なお、図１に例示するようなネットワーク環境には、イーサネット（登録商標）等のＬＡＮ、あるいは公衆回線や専用回線を介して複数のＬＡＮが接続されるＷＡＮ等を含み得る。ＬＡＮの場合には、必要に応じてルータを介した多数のサブネットから構成される。また、ＷＡＮの場合には、公衆回線に接続するためのファイアウォール等を適宜備えているが、ここではその図示及び詳細説明を省略する。
【００３２】
ユーザは、通信ネットワーク１００に接続された、例えばＰＣ、タブレット、スマートフォン等のユーザ端末１１０から、情報提供装置１０を利用することができる。
【００３３】
図２は、本発明の実施形態に係る情報提供方法が適用された情報提供装置の電子回路構成例を示すブロック図である。
【００３４】
情報提供装置１０の電子回路は、バス１１によって互いに接続されたＣＰＵ１２、記録媒体読取部１４、通信部１５、メモリ２０、および記憶装置３０を備えている。
【００３５】
メモリ２０は、電子版記事ＡＰＩ２１、ユーザ関心分析プログラム２２、記事選択／推薦プログラム２３、原稿変換プログラム２４、読み設定プログラム２５、音声合成プログラム２６、モーション生成プログラム２７、および出力プログラム２８を記憶している。これらプログラム２１〜２８は、メモリ２０に予め記憶されていてもよいし、あるいはメモリカード等の外部記録媒体１３から記録媒体読取部１４を介してメモリ２０に読み込まれて記憶されたものであってもよい。これらプログラム２１〜２８は、書き換えできないようになっている。
【００３６】
メモリ２０には、このようなユーザ書き換え不可能なエリアの他に、書き換え可能なデータを記憶するエリアとして、書込可能データエリア２９が確保されている。
【００３７】
ＣＰＵ１２は、コンピュータであって、メモリ２０に記憶されている各プログラム２１〜２８に従い回路各部の動作を制御する。
【００３８】
記憶装置３０は、ユーザ情報データベース３２を備えている。
【００３９】
記憶装置３０例えばＳＳＤ（Solid State Drive）やＨＤＤ（Hard Disk Drive）等からなる。
【００４０】
通信部１５は、電子版記事提供者（例えば、新聞社）によって運営されている電子版記事提供サーバ１２０から、通信ネットワーク１００を介して一定期間毎（例えば５分毎）に提供される電子版記事ａを受信し、電子版記事ＡＰＩ２１に渡す。これによって、電子版記事ＡＰＩ２１は、一定期間毎に電子版記事ａを受け取る。
【００４１】
なお、電子版記事提供者は、情報提供装置１０を運営する運営者と同一であってもよい。
【００４２】
図３は、電子版記事のデータ構造の一例を示す概念図である。
【００４３】
図３に例示するように、電子版記事ａには、それぞれテキスト情報である本文ａ１、見出しａ２、およびメタ情報ｂのみならず、写真や図表等の画像情報ａ３をも含まれている。
【００４４】
メタ情報ｂは、例えば、電子版記事ａの関連する分野（例えば、経済、政治、スポーツ等）を表す用語や、キーワード（例えば、日経株価、国会、ＭＬＢ等）を表す用語を含むテキスト情報である。
【００４５】
情報提供装置１０を利用するユーザは、情報提供装置１０を利用するために、予めユーザ登録しておく必要がある。これは、ユーザ端末１１０から、情報提供装置１０に対してユーザ登録要求を行うことによってなされる。
【００４６】
情報提供装置１０は、ユーザ端末１１０からユーザ登録要求がなされた場合、ユーザの識別情報であるユーザＩＤを付与し、送信元のユーザ端末１１０へ返信するとともに、パスワードの設定を要求する。
【００４７】
これに応じて、ユーザが、所望するパスワードを、情報提供装置１０へ送信する。情報提供装置１０は、このパスワードが、情報提供装置１０で定めるセキュリティポリシーに従う妥当なものであると判定すると、このユーザＩＤとパスワードとを紐付けて、ユーザ情報データベース３２に書き込むことによって、ユーザ登録が完了する。
【００４８】
ユーザ登録が完了すると、ユーザは、ユーザ端末１１０から、情報提供装置１０にユーザＩＤおよびパスワードを入力することによって、情報提供装置１０にログインし、情報提供装置１０を使用することが可能となる。
【００４９】
情報提供装置１０は、ユーザ毎にパーソナライズ化されたニュース番組を提供するための装置である。このために、情報提供装置１０は、ユーザ登録されたユーザに対して、ユーザ情報ｃを送信するように要求する。
【００５０】
ユーザは、この要求に応じて、任意のタイミングで、ユーザ端末１１０から情報提供装置１０にユーザ情報ｃを返信することができる。ユーザ情報ｃは、一例として、氏名、生年月日、性別、年齢、連絡先、居住地（例えば、山梨県）、趣味（例えば、ジョギング）、関心分野（例えば、経済、政治等）等を含む。
【００５１】
また、ユーザは、任意のタイミングで、ユーザ情報ｃの内容を追加、修正、削除し、情報提供装置１０に送信することができる。
【００５２】
情報提供装置１０は、ユーザから、ユーザ情報ｃを送信されると、ユーザ情報ｃを、ユーザＩＤに紐付けて、ユーザ情報データベース３２に新規に書き込んだり、あるいは、その内容を更新する。
【００５３】
ユーザ関心分析プログラム２２は、ユーザＩＤに基づいて、該ユーザのユーザ情報ｃを、ユーザ情報データベース３２から取得し、ユーザ情報ｃに基づいて、該ユーザの関心を分析し、ユーザ関心情報ｄを決定する。ユーザ関心情報ｄは、一例として、ユーザが関心を持っている用語を含むことができ、例えば、ユーザ情報ｃとして、居住地（山梨県）、趣味（ジョギング）、関心分野（経済、政治）が入力されている場合、「山梨県、ジョギング、経済、政治」という用語を含むユーザ関心情報ｄを決定することができる。
【００５４】
以上は、ユーザ情報ｃに基づいて、ユーザ関心情報ｄを決定する例についての説明であるが、ユーザ関心分析プログラム２２は、ユーザ情報ｃに基づいてユーザ関心情報ｄを決定することに限定されず、ユーザからの入力に応じて、ユーザ関心情報ｄを決定することもできる。
【００５５】
例えば、ユーザによって、ユーザ端末１１０から、「山梨県」、「ジョギング」、「経済」、「政治」と入力されると、ユーザ関心分析プログラム２２は、「山梨県、ジョギング、経済、政治」という用語を含むユーザ関心情報ｄを決定することができる。
【００５６】
記事選択／推薦プログラム２３は、電子版記事ＡＰＩ２１によって受け取られた電子版記事ａから、ユーザ関心情報ｄに関連性のある電子版記事ａ（ｄ）を選択する。前述したように、電子版記事ａは、メタ情報ｂを含んでいるので、記事選択／推薦プログラム２３は、ユーザ関心情報ｄとメタ情報ｂとを照合し、ユーザ関心情報ｄに含まれる用語と、メタ情報ｂに含まれる用語とに一致があることに基づいて、電子版記事ａから、ユーザ関心情報ｄに関連性のある電子版記事ａ（ｄ）を選択することができる。
【００５７】
複数の電子版記事ａ（ｄ）が選択された場合には、記事選択／推薦プログラム２３は、これら複数の電子版記事ａ（ｄ）を、重要度の高い順にソートする。
【００５８】
重要度の決定方法としては、限定される訳ではないが、一例として、ユーザ関心情報ｄに含まれる用語と、メタ情報ｂに含まれる用語との一致数が多い電子版記事ａ（ｄ）ほど、高い重要度とすることができる。また、単なる一致数の比較ではなく、ユーザ関心情報ｄの中でも、「関心分野」として指定された用語（この例では、政治、経済）を高く重み付けて重み付け評価を行うなど、適宜、任意の手法を用いて重要度を決定してもよい。
【００５９】
なお、記事選択／推薦プログラム２３は、電子版記事ａがメタ情報ｂを含んでいない場合であっても、重要度を決定することができる。
【００６０】
この場合、記事選択／推薦プログラム２３は、ユーザ関心情報ｄに関連性のある電子版記事ａ（ｄ）を選択するために、各電子版記事ａのテキスト情報ｆを対象として、テキスト情報ｆに、ユーザ関心情報ｄに含まれる用語と一致する用語が含まれている電子版記事ａを選択し、選択した電子版記事ａの中から、ユーザ関心情報ｄに含まれる用語と一致する用語が多く含まれているテキスト情報ｆを有する電子版記事ａ（ｄ）ほど、高い重要度とすることができる。
【００６１】
なお、この場合も、特定の用語を高く重み付ける重み付け評価を行うなど、適宜、任意の手法を用いて重要度を決定してもよい。たとえば、選択された各電子版記事ａ（ｄ）の内容分析を、ＡＩ技術を使って行い、内容分析の結果と、ユーザ関心情報ｄとの関連性の度合いに応じて、重要度を決定してもよい。
【００６２】
このようにして、記事選択／推薦プログラム２３は、ユーザ毎に、電子版記事ａから、ユーザ関心情報ｄに関連性のある電子版記事ａ（ｄ）を選択し、さらに、複数の電子版記事ａ（ｄ）が選択された場合には、これら複数の電子版記事ａ（ｄ）を、重要度の高い順にソートする。
【００６３】
記事選択／推薦プログラム２３によって重要度順にソートされた各電子版記事ａ（ｄ）に含まれるテキスト情報ｆを、何の設定もなく、例えば既存の音声出力エンジンから音声出力させた場合、通常は、抑揚やイントネーションのない不自然な音声で読み上げられてしまう。
【００６４】
そこで、原稿変換プログラム２４は、テキスト情報ｆが、ごく自然な音声として読み上げられるように、テキスト情報ｆの適切な場所に句読点を挿入したり、語尾の「ですます調」を統一したり、アクセントやイントネーションの設定等を行う。さらには、重要な用語を強調して読み上げるための設定も行う。
【００６５】
重要な用語を強調して読み上げることを、報道分野では、「立てる」と称している。テレビやラジオのアナウンサーは、ニュース原稿を読む場合、どの用語を「立てる」のかを常に意識して読んでいる。つまり、ニュース原稿は、同じテキスト情報ｆであっても、読み方、すなわち、「立て方」によって視聴者への伝わり方が変わってしまう。したがって、テキスト情報ｆを読み上げる場合、単純に正しく読ませるだけでは、ニュース報道として十分ではなく、重要な用語を立てて読み上げることが必要である。
【００６６】
このため、原稿変換プログラム２４はさらに、ユーザのユーザ関心情報ｄや、ユーザ関心情報ｄに含まれる用語や、ユーザ関心情報ｄに関連性のある用語を「立てて」読み上げるための設定を、テキスト情報ｆに対して行う。
【００６７】
具体的には、原稿変換プログラム２４は、「立てる」用語をゆっくりと大きな声で読み上げるような設定や、「立てる」用語の前で、いったん間を置いてから読み上げるような設定を、テキスト情報ｆに対して行う。
【００６８】
例えば、「日経電子版の最終記事を基にして５分毎に最新のニュースを生成する」というテキスト情報ｆからなるニュース原稿を読み上げる場合を例に説明する。この場合、ユーザ関心情報ｄに「日経電子版」という用語が含まれているのであれば、原稿変換プログラム２４は、「日経電子版」という用語を「立てる」ために、他の用語よりも大きな声で、若干ゆっくり読み上げるような設定を、テキスト情報ｆに対して行う。これによって、「日経電子版」が強調されたニュースを提供することが可能となる。
【００６９】
また、原稿変換プログラム２４は、必ずしもユーザ関心情報ｄに含まれている用語のみならず、ユーザ関心情報ｄに含まれていない用語を「立てる」ように設定することもできる。そのため、原稿変換プログラム２４は、例えばＡＩ技術を使って、ユーザ関心情報ｄに関連性のある用語を「立てる」用語として決定することができる。以下にその一例を説明する。
【００７０】
例えば、ユーザ関心情報ｄに「時間」という用語が含まれている場合、原稿変換プログラム２４は、ＡＩ技術によって、「５分前」という用語が、「時間」というユーザ関心情報ｄに関連性のある用語であると判定し、「５分毎」の前にいったん間をおいて読み上げるような設定を、テキスト情報ｆに対して行う。もちろん、前述したように、「５分毎」を他の用語よりも大きな声で、若干ゆっくり読み上げるような設定を、テキスト情報ｆに対して行ってもよい。これによって、「５分毎」という用語が強調され、「時間」が強調されたニュースを提供することが可能となる。
【００７１】
読み設定プログラム２５は、記事選択／推薦プログラム２３によって選択され、重要度の高い順にソートされた各電子版記事ａ（ｄ）に含まれるテキスト情報ｆに対して、人名や地名等の難読な用語に対する振り仮名を設定する。なお、振り仮名の設定のために、汎用的な辞書を使用してもよい。
【００７２】
また、ＡＩ技術を使って、テキスト情報ｆに基づいて、文脈の内容から、振り仮名を決定し、設定してもよい。これによって、例えば、「羽生」という苗字には、「はぶ」という読み方のみならず、「はにゅう」という読み方もあるが、ＡＩ技術が、テキスト情報ｆが将棋の内容であると判定した場合、「羽生」に対して「はぶ」と振り仮名を設定することができ、テキスト情報ｆがフィギュアスケートの内容であると判定した場合、「羽生」に対して「はにゅう」と振り仮名を設定することができる。
【００７３】
音声合成プログラム２６は、記事選択／推薦プログラム２３によって選択され、重要度の高い順にソートされた各電子版記事ａ（ｄ）に含まれるテキスト情報ｆを、原稿変換プログラム２４や、読み設定プログラム２５によってなされた設定にしたがって読み上げられた音声情報である音声合成情報ｉを生成する。
【００７４】
モーション生成プログラム２７は、音声合成情報ｉに対応するモーション設定情報ｊを生成する。モーション設定情報ｊは、音声合成情報ｉにしたがって読み上げられる音声と連動した動画を設定するための設定情報である。具体的には、モーション設定情報ｊは、動画で表示されるニュースキャスターやアナウンサーのキャラクタ（例えば、性別、年代、服装等）の定義のための設定情報や、キャラクタの、音声と連動した動作のための設定情報を含む。
【００７５】
キャラクタ（例えば、性別、年代、服装等）の設定は、予め準備されたデフォルト条件にしたがって行ってもよいし、ユーザ指定にしたがって行ってもよい。音声と連動した動作の設定は、どのようなイベントでキャラクタがどのように動作するのかというルールの設定であり、例えば、ニュース番組の開始時と終了時にお辞儀をする、音声に応じて唇を動かす、次のニュースに切り替わるときに顔を上げるといった設定を含む。
【００７６】
モーション設定情報ｊはさらにまた、音声合成情報ｉの音声出力とともに表示する画像情報ａ３の設定情報（どのようなイベントで、どの画像情報ａ３を表示するかを設定するための情報）をも含む。
【００７７】
出力プログラム２８は、記事選択／推薦プログラム２３によって重要度順にソートされた各電子版記事ａ（ｄ）についての見出しａ２を、ユーザ端末１１０のディスプレイから一覧表示させるための画像情報ｋを生成し、ユーザ端末１１０に向けて出力する。出力プログラム２８によってこのように出力された画像情報ｋは、通信部１５から、通信ネットワーク１００を介してユーザ端末１１０へ送信され、ユーザ端末１１０のディスプレイから表示される。
【００７８】
出力プログラム２８はさらに、記事選択／推薦プログラム２３によって重要度順にソートされた各電子版記事ａ（ｄ）に含まれる各テキスト情報ｆについて、音声合成プログラム２６によって生成された音声合成情報ｉ、およびモーション生成プログラム２７によって生成されたモーション設定情報ｊを、ユーザ端末１１０に向けて出力する。出力プログラム２８によってこのように出力された音声合成情報ｉおよびモーション設定情報ｊは、通信部１５から、通信ネットワーク１００を介してユーザ端末１１０へ送信され、ユーザ端末１１０のスピーカから、音声合成情報ｉが音声として出力され、ユーザ端末１１０のディスプレイから、音声合成情報ｉの音声出力に合わせて、モーション設定情報ｊに基づいて動画が表示される。
【００７９】
なお、ユーザ端末１１０が、ディスプレイを備えておらず、画像情報ｋも動画も表示できない場合であっても、スピーカを備えていれば、スピーカから、音声合成情報ｉに基づいて音声を出力することができる。
【００８０】
このようにして、情報提供装置１０は、実際のテレビやラジオのニュース番組のようなニュース番組を、ユーザ毎にパーソナライズ化して、定期的かつ自動的にユーザへ提供することができる。
【００８１】
次に、以上のように構成した本発明の実施形態に係る情報提供方法が適用された情報提供装置の動作例を説明する。
【００８２】
ユーザは、情報提供装置１０を利用するために、予めユーザ登録しておく必要がある。ユーザ登録時の動作について、図４のフローチャートを用いて説明する。
【００８３】
図４は、情報提供装置へのユーザ登録時の動作例を示すフローチャートである。
【００８４】
ユーザは、ユーザ登録を行う場合、ユーザ端末１１０から、情報提供装置１０に対してユーザ登録要求を行う（Ｓ１）。
【００８５】
これに対して、情報提供装置１０によって、ユーザの識別情報であるユーザＩＤが付与され（Ｓ２）、送信元のユーザ端末１１０へ返信されるとともに、ユーザは、パスワードの設定を要求される（Ｓ３）。
【００８６】
これに応じて、ユーザが、所望するパスワードを、情報提供装置１０へ送信する（Ｓ４）。このパスワードが、情報提供装置１０によって、情報提供装置１０で定めるセキュリティポリシーに従う妥当なものであると判定される（Ｓ５：Ｙｅｓ）と、このユーザＩＤとパスワードとが紐付けられて、ユーザ情報データベース３２に書き込まれる。これによって、ユーザ登録が完了する（Ｓ６）。
【００８７】
一方、ステップＳ５において、情報提供装置１０によって、パスワードが妥当なものではないと判定される（Ｓ５：Ｎｏ）と、ステップＳ３に戻り、ユーザは、パスワードを再設定するように要求される（Ｓ３）。
【００８８】
ユーザ登録完了後は、ユーザは、ユーザ端末１１０から、情報提供装置１０にユーザＩＤおよびパスワードを入力することによって、情報提供装置１０にログインし、情報提供装置１０を使用することが可能となる。
【００８９】
情報提供装置１０は、ユーザ毎にパーソナライズ化されたニュース番組を提供するために、ユーザ登録されたユーザに対して、ユーザ情報ｃを送信するように要求する。
【００９０】
ユーザは、この要求に応じて、任意のタイミングで、ユーザ端末１１０から情報提供装置１０にユーザ情報ｃを送信することができる（Ｓ７）。ユーザ情報ｃは、一例として、氏名、生年月日、性別、年齢、連絡先、居住地（例えば、山梨県）、趣味（例えば、ジョギング）、興味のある分野（例えば、経済、政治等）等を含む。
【００９１】
情報提供装置１０では、ユーザからユーザ情報ｃを送信されると、ユーザ情報ｃが、ユーザＩＤに紐付けられ、ユーザ情報データベース３２に書き込まれる（Ｓ８）。
【００９２】
ユーザ情報データベース３２に書き込まれたユーザ情報ｃに基づいて、ユーザ関心分析プログラム２２によって、ユーザの関心分析が行われ、ユーザ関心情報ｄが決定される（Ｓ９）。
【００９３】
次に、情報提供装置１０によるニュース番組の提供時の動作について図５に示すフローチャートを用いて説明する。
【００９４】
図５は、ニュース番組の提供時の情報提供装置の動作例を示すフローチャートである。
【００９５】
電子版記事提供サーバ１２０から、通信ネットワーク１００を介して一定期間毎（例えば５分毎）に電子版記事ａが提供されると、この電子版記事ａは、通信部１５によって受信され、電子版記事ＡＰＩ２１によって受け取られる（Ｓ１１）。
【００９６】
記事選択／推薦プログラム２３では、電子版記事ＡＰＩ２１によって受け取られた電子版記事ａから、ユーザ関心情報ｄに関連性のある電子版記事ａ（ｄ）が選択される（Ｓ１２）。
【００９７】
ステップＳ１２において、複数の電子版記事ａ（ｄ）が選択された場合（Ｓ１３：Ｙｅｓ）には、これら複数の電子版記事ａ（ｄ）は、記事選択／推薦プログラム２３によって重要度の高い順にソートされる（Ｓ１４）。
【００９８】
なお、ステップＳ１２において、１つの電子版記事ａ（ｄ）しか選択されなかった場合（Ｓ１３：Ｎｏ）には、ステップＳ１４の処理はなされる、次の処理に進む。
【００９９】
次に、ステップＳ１２において選択された電子版記事ａ（ｄ）に含まれるテキスト情報ｆに対して、原稿変換プログラム２４によって、適切な場所に句読点が挿入されたり、語尾の「ですます調」の統一がなされたり、アクセントやイントネーションの設定等が行われる。さらには、重要な用語を強調して（「立てて」）読み上げるための設定も行われる（Ｓ１５）。
【０１００】
また、読み設定プログラム２５において、テキスト情報ｆに対して、人名や地名等の難読な用語に対する振り仮名が設定される（Ｓ１６）。
【０１０１】
次に、音声合成プログラム２６において、ステップＳ１５において原稿変換プログラム２４にってなされた設定、およびステップＳ１６において読み設定プログラム２５によってなされた設定にしたがってテキスト情報ｆが読み上げられた音声情報である音声合成情報ｉが生成される（Ｓ１７）。
【０１０２】
さらに、モーション生成プログラム２７において、音声合成情報ｉに対応するモーション設定情報ｊが生成される（Ｓ１８）。
【０１０３】
これによって、ユーザは、例えば、後述する図６に例示するように、キャラクタの設定や動作の設定を好みに応じて行うことが可能となる。
【０１０４】
その後、出力プログラム２８では、ステップＳ１４において重要度順にソートされた各電子版記事ａ（ｄ）の見出しａ２を、ユーザ端末１１０のディスプレイから一覧表示させるための画像情報ｋが生成され、ユーザ端末１１０に向けて出力される（Ｓ１９）。
【０１０５】
なお、ステップＳ１２において、１つの電子版記事ａ（ｄ）しか選択されなかった場合には、この１つの電子版記事ａ（ｄ）の見出しａ２をユーザ端末１１０のディスプレイから表示させるための画像情報ｋが生成され、ユーザ端末１１０に向けて出力される。
【０１０６】
出力プログラム２８によってこのように出力された画像情報ｋは、通信部１５から、通信ネットワーク１００を介してユーザ端末１１０へ送信され、ユーザ端末１１０のディスプレイから表示される（Ｓ２０）。
【０１０７】
出力プログラム２８ではさらに、ステップＳ１７において生成された音声合成情報ｉ、およびステップＳ１８において生成されたモーション設定情報ｊが、ユーザ端末１１０に向けて出力される（Ｓ２１）。
【０１０８】
出力プログラム２８によってこのように出力された音声合成情報ｉおよびモーション設定情報ｊは、通信部１５から、通信ネットワーク１００を介してユーザ端末１１０へ送信され、ユーザ端末１１０のスピーカから、音声合成情報ｉが音声として出力され、ユーザ端末１１０のディスプレイから、音声合成情報ｉの音声出力に合わせて、モーション設定情報ｊに基づいて動画が表示される（Ｓ２２）。
【０１０９】
その後、処理はステップＳ１１に戻り、ステップＳ１１からステップＳ２２の処理が繰り返される。これによって、最新の電子版記事ａに基づいて、ユーザ毎にパーソナライズ化されたニュース番組が、自動的にユーザに提供される。
【０１１０】
図６は、重要度順にソートされた電子版記事の見出しと、モーション生成プログラムによって設定されたキャラクタとが表示されたユーザ端末のディスプレイにおける表示例を示す模式図である。
【０１１１】
ユーザ端末１１０のディスプレイからは、画像情報ｋに基づいて、重要度順にソートされた各電子版記事ａ（ｄ）についての見出しａ２が一覧表示される。さらには、モーション設定情報ｊに基づいて、キャラクタＱが動画表示される。
【０１１２】
図６に例示するキャラクタＱは、モーション設定情報ｊにおいて、性別は女性、年代は２０代、髪はロングヘアー、服装は緑色のロングスカートと薄紫のジャケットというようにキャラクタが設定されているとともに、ニュース番組の開始時と終了時にお辞儀をし、ニュース原稿の読み上げに応じて唇を動かし、次のニュースに切り替わるときに一旦顔を上げるよう動作するように設定されている。
【０１１３】
このように、ユーザは、キャラクタＱの特徴を、自分の好みにあわせて設定したり、動画表示させることが可能となる。
【０１１４】
なお、ユーザ端末１１０が、ディスプレイを備えておらず、画像情報ｋも動画も表示できない場合であっても、スピーカを備えていれば、スピーカから、音声合成情報ｉに基づいてテキスト情報ｆが読み上げられた音声を出力することができる。
【０１１５】
このようにして、情報提供装置１０は、実際のテレビやラジオのニュース番組のようなニュース番組を、ユーザ毎にパーソナライズ化して、定期的かつ自動的にユーザへ、音声や動画で提供することができる。
【０１１６】
このニュース番組で提供される記事の内容は、例えば５分毎のように頻繁に更新される最新の電子版記事に基づいているので、リアルタイム性が極めて高い。しかも、このニュース番組では、ユーザにとって重要度の高いニュースから順に提供されるのみならず、ニュースが読み上げられる際には、ユーザとの関連性の高い用語を強調する（「立てる」）ように読み上げられるので、ニュースの内容を、ユーザに非常にわかりやすく伝えることができる。
【０１１７】
これによって、ユーザは、特別な操作を行う必要なく、例えば、他の作業をしながらでも、自分の関心のあるニュースを、ほぼリアルタイムで、容易に把握できるようになる。
【０１１８】
上述したように、本実施形態に係る情報提供方法および情報提供装置によれば、実際のテレビやラジオのニュース番組のようなニュース番組を、ユーザ毎にパーソナライズ化して、定期的かつ自動的にユーザへ、音声や動画で提供することができる。
【０１１９】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【０１２０】
たとえば、図１に示す電子版記事ＡＰＩ２１、ユーザ関心分析プログラム２２、記事選択／推薦プログラム２３、原稿変換プログラム２４、読み設定プログラム２５、音声合成プログラム２６、モーション生成プログラム２７、および出力プログラム２８は、情報提供装置１０を実現するための必須の構成要素であるが、種々の応用機能を付加するために、上記以外の構成要素を適宜付加してもよく、上記以外の構成要素が付加された情報提供装置もまた、本発明の技術的範囲に属する。
【０１２１】
また、例えば、情報提供装置１０におけるユーザ関心分析プログラム２２、記事選択／推薦プログラム２３、原稿変換プログラム２４、読み設定プログラム２５、音声合成プログラム２６、およびモーション生成プログラム２７のおのおのに、それぞれの機能に特化したＡＩ技術を適用してもよく、それぞれの機能に特化したＡＩ技術が適用された情報提供装置もまた、本発明の技術的範囲に属する。
【産業上の利用可能性】
【０１２２】
本発明は、インターネットのような通信ネットワークを使ってニュース番組を提供する分野において、好適に利用することができる。
【符号の説明】
【０１２３】
８  サーバ
１０  情報提供装置
１１  バス
１２  ＣＰＵ
１３  外部記録媒体
１４  記録媒体読取部
１５  通信部
２０  メモリ
２１  電子版記事ＡＰＩ
２２  ユーザ関心分析プログラム
２３  記事選択／推薦プログラム
２４  原稿変換プログラム
２５  読み設定プログラム
２６  音声合成プログラム
２７  モーション生成プログラム
２８  出力プログラム
２９  書込可能データエリア
３０  記憶装置
３２  ユーザ情報データベース
１００  通信ネットワーク
１１０  ユーザ端末
１２０  電子版記事提供サーバ
【図１】
2020201615.tif 000003
【図２】
2020201615.tif 000004
【図３】
2020201615.tif 000005
【図４】
2020201615.tif 000006
【図５】
2020201615.tif 000007
【図６】
2020201615.tif 000008
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
記事のテキスト情報を含む電子版記事を受け取る第１の手段と、
前記受け取った電子版記事から、ユーザが関心を持っている用語の集合を含むユーザ関心情報に関連性のある電子版記事を選択し、前記選択された電子版記事の重要度を、前記ユーザ関心情報に基づいて決定する第２の手段と、
前記選択された電子版記事のテキスト情報を読み上げるための設定を、前記テキスト情報に対して行う第３の手段と、
前記選択された電子版記事のテキスト情報を、前記重要度の順に、前記設定にしたがって音声として読み上げられた情報である音声合成情報を生成する第４の手段とを備え、
前記第３の手段は、前記選択された電子版記事毎に、前記テキスト情報に含まれている用語の中から、前記ユーザ関心情報に関連性のある用語を決定する、情報提供装置。
【請求項２】
前記ユーザ関心情報は、予め登録されているユーザ情報に基づいて決定される、請求項１に記載の情報提供装置。
【請求項３】
前記設定を、前記テキスト情報に対して行うことは、前記設定を、前記ユーザ関心情報に基づいて、前記テキスト情報に対して行うことを含む、請求項１または２に記載の情報提供装置。
【請求項４】
前記設定は、前記ユーザ関心情報に含まれる用語と、前記ユーザ関心情報に関連性のある用語と、のうちの少なくとも何れかを強調して読み上げるための設定を含む、請求項１に記載の情報提供装置。
【請求項５】
前記強調して読み上げるための設定は、強調して読み上げるべき用語を読み上げる前に、いったん間を置いてから読み上げる設定を含む、請求項４に記載の情報提供装置。
【請求項６】
前記第２の手段は、前記選択された電子版記事のうち、前記ユーザ関心情報に含まれる用語と一致する用語が多く含まれているテキスト情報を含む電子版記事ほど前記重要度が高くなるように、前記重要度を決定する、請求項１乃至５のうち何れか１項に記載の情報提供装置。
【請求項７】
前記重要度を決定された電子版記事の見出しを、対応する電子版記事の重要度の順に表示するための画像情報を生成する第５の手段をさらに備えた、請求項６に記載の情報提供装置。
【請求項８】
前記音声合成情報にしたがって読み上げられる音声と連動した動画のための設定情報であるモーション設定情報を生成する第６の手段をさらに備えた、請求項１乃至６のうち何れか１項に記載の情報提供装置。
【請求項９】
前記モーション設定情報は、前記動画で表示されるキャラクタの定義のための設定情報と、前記キャラクタの、音声と連動した動作のための設定情報とを含む、請求項８に記載の情報提供装置。
【請求項１０】
端末において、前記音声合成情報にしたがって音声が出力され、前記モーション設定情報にしたがって動画が出力されるように、前記音声合成情報および前記モーション設定情報を前記端末へ出力する第５の手段をさらに備えた、請求項８または９に記載の情報提供装置。
【請求項１１】
端末において、前記音声合成情報にしたがって音声が出力されるように、前記音声合成情報を前記端末へ出力する第５の手段をさらに備えた、請求項１乃至６のうち何れか１項に記載の情報提供装置。
【請求項１２】
情報提供装置によって情報を提供する方法であって、
前記情報提供装置が、
記事のテキスト情報を含む電子版記事を受け取り、
前記受け取った電子版記事から、ユーザが関心を持っている用語の集合を含むユーザ関心情報に関連性のある電子版記事を選択し、前記選択された電子版記事の重要度を、前記ユーザ関心情報に基づいて決定し、
前記選択された電子版記事のテキスト情報を読み上げるための設定を、前記テキスト情報に対して行い、
前記選択された電子版記事毎に、前記テキスト情報に含まれている用語の中から、前記ユーザ関心情報に関連性のある用語を決定し、
前記選択された電子版記事のテキスト情報を、前記重要度の順に、前記設定にしたがって音声として読み上げられた情報である音声合成情報を生成する、情報提供方法。
【請求項１３】
記事のテキスト情報を含む電子版記事を受け取る機能、
前記受け取った電子版記事から、ユーザが関心を持っている用語の集合を含むユーザ関心情報に関連性のある電子版記事を選択し、前記選択された電子版記事の重要度を、前記ユーザ関心情報に基づいて決定する機能、
前記選択された電子版記事のテキスト情報を読み上げるための設定を、前記テキスト情報に対して行う機能、
前記選択された電子版記事毎に、前記テキスト情報に含まれている用語の中から、前記ユーザ関心情報に関連性のある用語を決定する機能、
前記選択された電子版記事のテキスト情報を、前記重要度の順に、前記設定にしたがって音声として読み上げられた情報である音声合成情報を生成する機能、
をプロセッサに実現させるためのプログラム。
【手続補正２】
【補正対象書類名】明細書
【補正対象項目名】００１２
【補正方法】変更
【補正の内容】
【００１２】
本発明の第１の態様は、記事のテキスト情報を含む電子版記事を受け取る第１の手段と、前記受け取った電子版記事から、ユーザが関心を持っている用語の集合を含むユーザ関心情報に関連性のある電子版記事を選択し、前記選択された電子版記事の重要度を、前記ユーザ関心情報に基づいて決定する第２の手段と、前記選択された電子版記事のテキスト情報を読み上げるための設定を、前記テキスト情報に対して行う第３の手段と、前記選択された電子版記事のテキスト情報を、前記重要度の順に、前記設定にしたがって音声として読み上げられた情報である音声合成情報を生成する第４の手段とを備え、前記第３の手段は、前記選択された電子版記事毎に、前記テキスト情報に含まれている用語の中から、前記ユーザ関心情報に関連性のある用語を決定する、情報提供装置である。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
本発明の第４の態様は、前記設定は、前記ユーザ関心情報に含まれる用語と、前記ユーザ関心情報に関連性のある用語と、のうちの少なくとも何れかを強調して読み上げるための設定を含む、第１の態様の情報提供装置である。
【手続補正５】
【補正対象書類名】明細書
【補正対象項目名】００１７
【補正方法】変更
【補正の内容】
【００１７】
本発明の第５の態様は、前記強調して読み上げるための設定は、強調して読み上げるべき用語を読み上げる前に、いったん間を置いてから読み上げる設定を含む、第４の態様の情報提供装置である。
【手続補正６】
【補正対象書類名】明細書
【補正対象項目名】００１８
【補正方法】変更
【補正の内容】
【００１８】
本発明の第６の態様は、前記第２の手段は、前記選択された電子版記事のうち、前記ユーザ関心情報に含まれる用語と一致する用語が多く含まれているテキスト情報を含む電子版記事ほど前記重要度が高くなるように、前記重要度を決定する、第１乃至第５の態様のうち何れかの情報提供装置である。
【手続補正７】
【補正対象書類名】明細書
【補正対象項目名】００１９
【補正方法】変更
【補正の内容】
【００１９】
本発明の第７の態様は、前記重要度を決定された電子版記事の見出しを、対応する電子版記事の重要度の順に表示するための画像情報を生成する第５の手段をさらに備えた、第６の態様の情報提供装置である。
【手続補正８】
【補正対象書類名】明細書
【補正対象項目名】００２０
【補正方法】変更
【補正の内容】
【００２０】
本発明の第８の態様は、前記音声合成情報にしたがって読み上げられる音声と連動した動画のための設定情報であるモーション設定情報を生成する第６の手段をさらに備えた、第１乃至第６の態様のうち何れかの情報提供装置である。
【手続補正９】
【補正対象書類名】明細書
【補正対象項目名】００２１
【補正方法】変更
【補正の内容】
【００２１】
本発明の第９の態様は、前記モーション設定情報は、前記動画で表示されるキャラクタの定義のための設定情報と、前記キャラクタの、音声と連動した動作のための設定情報とを含む、第８の態様の情報提供装置である。
【手続補正１０】
【補正対象書類名】明細書
【補正対象項目名】００２２
【補正方法】変更
【補正の内容】
【００２２】
本発明の第１０の態様は、端末において、前記音声合成情報にしたがって音声が出力され、前記モーション設定情報にしたがって動画が出力されるように、前記音声合成情報および前記モーション設定情報を前記端末へ出力する第５の手段をさらに備えた、第８または第９の態様の情報提供装置である。
【手続補正１１】
【補正対象書類名】明細書
【補正対象項目名】００２３
【補正方法】変更
【補正の内容】
【００２３】
本発明の第１１の態様は、端末において、前記音声合成情報にしたがって音声が出力されるように、前記音声合成情報を前記端末へ出力する第５の手段をさらに備えた、第１乃至第６の態様のうち何れかの情報提供装置である。
【手続補正１２】
【補正対象書類名】明細書
【補正対象項目名】００２４
【補正方法】変更
【補正の内容】
【００２４】
本発明の第１２の態様は、情報提供装置によって情報を提供する方法であって、前記情報提供装置が、記事のテキスト情報を含む電子版記事を受け取り、前記受け取った電子版記事から、ユーザが関心を持っている用語の集合を含むユーザ関心情報に関連性のある電子版記事を選択し、前記選択された電子版記事の重要度を、前記ユーザ関心情報に基づいて決定し、前記選択された電子版記事のテキスト情報を読み上げるための設定を、前記テキスト情報に対して行い、前記選択された電子版記事毎に、前記テキスト情報に含まれている用語の中から、前記ユーザ関心情報に関連性のある用語を決定し、前記選択された電子版記事のテキスト情報を、前記重要度の順に、前記設定にしたがって音声として読み上げられた情報である音声合成情報を生成する、情報提供方法である。
【手続補正１３】
【補正対象書類名】明細書
【補正対象項目名】００２５
【補正方法】変更
【補正の内容】
【００２５】
本発明の第１３の態様は、記事のテキスト情報を含む電子版記事を受け取る機能、前記受け取った電子版記事から、ユーザが関心を持っている用語の集合を含むユーザ関心情報に関連性のある電子版記事を選択し、前記選択された電子版記事の重要度を、前記ユーザ関心情報に基づいて決定する機能、前記選択された電子版記事のテキスト情報を読み上げるための設定を、前記テキスト情報に対して行う機能、前記選択された電子版記事毎に、前記テキスト情報に含まれている用語の中から、前記ユーザ関心情報に関連性のある用語を決定する機能、前記選択された電子版記事のテキスト情報を、前記重要度の順に、前記設定にしたがって音声として読み上げられた情報である音声合成情報を生成する機能をプロセッサに実現させるためのプログラムである。